(57)【要約】【課題】  印刷に先立って、印刷条件設定値を入力しなければならないという煩雑さが無くなり、且つ、印刷条件設定値の誤入力等による画像品質の劣化を防止する。【解決手段】  媒体データ保管部１は、装填されている印刷媒体の媒体品種に対応する印刷条件設定値を予め格納し、媒体情報抽出部４は、上位装置が指定する媒体品種に対応する印刷条件設定値を上記媒体データ保管部１から読み出し、印刷制御部３は、上記上位装置が指定する媒体品種を印刷装置に装填されている印刷媒体の中から選択し、上記媒体情報抽出部４が読み出した印刷条件設定値に基づいて印刷条件を設定し、印刷処理を実行する。【選択図】        図１
2005081705.tif 000002
【特許請求の範囲】
【請求項１】
複数の品種の媒体に印刷可能な印刷装置に於いて、
各媒体の品種に対応する印刷条件設定値を複数保管する媒体データ保管部と、
該媒体データ保管部と通信を行う通信制御部と、
印刷データの媒体条件と前記媒体データの媒体の品種から、対応する印刷媒体を選択し、該印刷媒体に対応する印刷条件設定値を前記通信制御部を介して前記媒体データ保管部から読み出す媒体情報抽出部と、
前記媒体抽出部で抽出した印刷条件に基づいて、印刷データの印刷処理を行う印刷制御部とを備えることを特徴とする印刷装置。
【請求項２】
請求項１に記載の印刷装置に於いて、
前記媒体データ保管部は、前記印刷装置の外部に配置されることを特徴とする印刷装置。
【請求項３】
装填されている印刷媒体の媒体品種に対応する印刷条件設定値を予め格納する媒体データ保管部と、
上位装置が指定する媒体品種に対応する印刷媒体の印刷条件設定値を前記媒体データ保管部から読み出す媒体情報抽出部と、
前記上位装置が指定する媒体品種を印刷装置に装填されている印刷媒体の中から選択し、前記媒体情報抽出部が読み出した印刷条件設定値に基づいて印刷条件を設定し、印刷処理を実行する印刷制御部とを含むことを特徴とする印刷装置。
【請求項４】
装填されることが予想される印刷媒体の媒体サイズに対応する印刷条件設定値を予め格納する媒体データ保管部と、
前記印刷装置に装填された印刷媒体の媒体幅を検出する媒体幅検出部と、
該媒体幅検出部が検出した媒体幅に対応する印刷媒体の印刷条件設定値を前記媒体データ保管部から読み出す媒体情報抽出部と、
該媒体情報抽出部が読み出した印刷条件設定値に基づいて印刷条件を設定し、前記印刷装置に装填された印刷媒体に印刷処理を実行する印刷制御部とを含むことを特徴とする印刷装置。
【請求項５】
請求項４に記載の印刷装置に於いて、
前記媒体データ保管部は、
同一媒体幅で異なる媒体品種の印刷媒体にそれぞれ対応する印刷条件設定値を更に格納し、
前記媒体幅検出部が検出した媒体幅と同一の媒体幅であって、異なる媒体品種を表す媒体情報を表示する表示部と、該表示部に表示された媒体情報の中から所望の媒体品種の選択を求める操作部とを更に備え、
前記媒体情報抽出部は、前記操作部によって選択された媒体品種に対応する印刷条件設定値を前記媒体データ保管部から読み出すことを特徴とする印刷装置。
【請求項６】
各媒体の品種に対応する印刷条件設定値を複数保管する媒体データ保管部と、
媒体を探知する媒体探知部と、
該媒体探知部の探知結果に対応する媒体の品種を判断する判断部と、
該判断部が判断した媒体の品種に対応する媒体データを複数報知する報知部と、
該報知部が報知した媒体データに関する情報を入力する入力部と、
該入力部が行う入力と報知部が報知した媒体データに対応する印刷条件設定値を読み出す印刷制御部とを備えることを特徴とする印刷装置。
【発明の詳細な説明】
【技術分野】
【０００１】
本発明は、カセットに収納されている印刷媒体の媒体品種を特定すると、この媒体品種に応じた印刷条件を自動的に設定する印刷装置に関する。
【背景技術】
【０００２】
印刷装置に用いられる印刷媒体の媒体品種は、媒体サイズ、媒体の材質、媒体製造メーカ等の相違によって多品種に渡っている。この媒体品種の相違によっては、印刷条件が異なる場合がある。そのため、従来の印刷装置では、印刷に先立って、操作者が、その印刷に使用する印刷媒体の媒体品種に応じて、印刷条件設定に必要な印刷条件設定値を印刷の度毎に入力する必要があった。この煩わしさを取り除くために、種々の技術開発がなされ公開されている。その一例として、媒体サイズを自動的に検出し、少しでも印刷条件の設定を容易にするとともに、その媒体サイズ検出を、少ないセンサで検知できるようにして、コストの低減と装置本体の小型化を図ったユニバーサルカセットの用紙検知機構（例えば、特許文献１参照）等が公開されている。
【０００３】
上記従来の技術では、印刷装置が印刷媒体の媒体サイズを判別することは可能である。しかし、媒体サイズが同じであっても媒体の材質等が異なる場合がある。従って、操作者が、印刷に先立って、印刷条件設定値を入力しなければならないという煩雑さは残されている。
【特許文献１】特開平７−２８５６８０号公報（要約）
【発明の開示】
【発明が解決しようとする課題】
【０００４】
解決しようとする課題は、操作者が、印刷に先立って、印刷条件設定値を入力しなければならないという煩わしさから操作者を解放し、かつ、印刷条件設定値の誤入力等による画像品質の劣化を防止することにある。
【課題を解決するための手段】
【０００５】
印刷媒体の媒体品種に対応する印刷条件設定値を予め格納する媒体データ保管部と、上位装置が指定する媒体品種に対応する印刷条件設定値を上記媒体データ保管部から読み出す媒体情報抽出部と、上記上位装置が指定する媒体品種を印刷装置に装填されている印刷媒体の中から選択し、上記媒体情報抽出部が読み出した印刷条件設定値に基づいて印刷条件を設定し、印刷処理を実行する印刷制御部とを含む形態。
【発明の効果】
【０００６】
操作者は、所定の印刷媒体をカセットに収納して印刷装置に装填するのみで、印刷に先立って、印刷条件設定値を入力しなければならないという煩雑さが無くなり、且つ、印刷条件設定値の誤入力等による画像品質の劣化を防止することができるという効果を得る。
【発明を実施するための最良の形態】
【０００７】
印刷装置に装填されている印刷媒体の媒体品種に対応する印刷条件設定値を予め媒体データ保管部に格納しておき、上位装置が指定する媒体品種を印刷装置に装填されている印刷媒体の中から選択し、上記媒体データ保管部から読み出した印刷条件設定値に基づいて印刷条件を設定し、印刷処理を実行する印刷装置。
【実施例１】
【０００８】
図１は、実施例１の印刷装置の構成のブロック図である。
図に示すように、実施例１の印刷装置は、媒体データ保管部１と、通信制御部２と、印刷制御部３とを含む。更に、通信制御部２は、その内部に媒体情報抽出部４を有している。
【０００９】
上記本実施例の構成についての説明をする前に本実施例が適用される印刷装置の機構部分の概略構成、及びその動作について説明する。
図２は、印刷装置の機構概略説明図である。
図中に於いて、印刷装置１０は、媒体カセット１１と、電子写真プロセスユニット１２Ａ、１２Ｂ、１２Ｃ、１２Ｄと、転写ベルトユニット１３と、定着器ユニット１４と、ピックアップローラ１５と、レジストローラ１６Ａ、１６Ｂ、１６Ｃ、１６Ｄと、排出ローラ１７Ａ、１７Ｂと、排出カセット１８と、機構センサ１９Ａ、１９Ｂ、１９Ｃとを備える。
【００１０】
媒体カセット１１は、印刷処理前の印刷媒体２０を収納するカセットであり、印刷装置１０に装填される。
電子写真プロセスユニット１２Ａ、１２Ｂ、１２Ｃ、１２Ｄは、上位装置から受け入れた画像情報に基づいてトナー像を形成する部分であり、１２Ａは、シアンのトナー像を、１２Ｂは、マゼンタのトナー像を、１２Ｃは、イエローのトナー像を、１２Ｄは、ブラックのトナー像を、それぞれ分担して形成する部分である。
【００１１】
転写ベルトユニット１３は、電子写真プロセスユニット１２Ａ、１２Ｂ、１２Ｃ、１２Ｄが、形成したトナー像を印刷媒体２０上に転写する部分であり、シアンのトナー像を転写する転写ローラ１３Ａ、マゼンタのトナー像を転写する転写ローラ１３Ｂ、イエローのトナー像を転写する転写ローラ１３Ｃ、ブラックのトナー像を転写する転写ローラ１３Ｄと、印刷媒体２０を搬送する転写ベルト１３Ｅ、搬送ローラ１３Ｆ、１３Ｇを有する。
【００１２】
定着器ユニット１４は、印刷媒体２０上に転写された各色のトナー像を印刷媒体２０に定着する部分であり、加熱され、圧接して回転する定着ローラ１４Ａ、１４Ｂ、各定着ローラの温度を測定する温度センサ１４Ｃ、１４Ｄを有する。
ピックアップローラ１５は、媒体カセット１１から印刷媒体２０を引き出すためのローラである。
レジストローラ１６Ａ、１６Ｂ、１６Ｃ、１６Ｄは、印刷媒体２０をピックアップローラ１５から受け入れて転写ベルトユニット１３へ供給するローラであり、レジストローラ１６Ａと１６Ｂ、及びレジストローラ１６Ｃと１６Ｄは、それぞれ圧接して回転する。
【００１３】
排出ローラ１７Ａ、１７Ｂは、定着完了した印刷媒体を排出カセット１８へ排出するローラであり排出ローラ１７Ａと１７Ｂは、圧接して回転する。
排出カセット１８は、定着完了した印刷媒体を受け入れて収納するカセットである。
機構センサ１９Ａ、１９Ｂ、１９Ｃは、印刷媒体２０が、所定の位置を通過したことを検出するセンサである。
【００１４】
次に印刷装置の動作の概要について説明する。
印刷装置１０が起動すると、媒体カセット１１に収納されている印刷媒体２０が、ピックアップローラ１５によって引き出される。印刷媒体２０は、レジストローラ１６Ａ、１６Ｂによって図中の太い矢印の方向へ搬送され、機構センサ１９Ａを通過し、更にレジストローラ１６Ｃ、１６Ｄによって図中の太い矢印の方向へ搬送され電子写真プロセスへ送られる。印刷媒体２０が電子写真プロセスへ入ったことは、機構センサ１９Ｂによって検出される。
【００１５】
印刷媒体２０は、搬送ローラ１３Ｆ、１３Ｇによって、矢印の方向へ転写ベルト１３Ｅによって搬送されて、電子写真プロセスユニット１２Ｄ、１２Ｃ、１２Ｂ、１２Ａと、転写ローラ１３Ｄ、１３Ｃ、１３Ｂ、１３Ａとの間を通過して定着器ユニット１４に至る。この間に印刷媒体２０の上に各色のトナー像が形成される。
このプロセスに於いて電子写真プロセスユニット１２Ｄ、１２Ｃ、１２Ｂ、１２Ａから印刷媒体２０へのトナー像の転写は電気的に行われるために転写電流、又は転写電圧などの印刷条件を正確に設定することが必要になってくる。その一例を以下に示す。
【００１６】
図３は、転写電流又は転写電圧と媒体厚さとの関係図である。
図に於いて、横軸は、印刷媒体の厚さであり、縦軸はその印刷媒体へのトナー像の転写に必要な転写電流、又は転写電圧を表している。
図に示すように、印刷媒体が厚くなる程、転写に必要な転写電流、又は転写電圧は大きくなることが分かる。更に、この図は、印刷媒体の材質、製造メーカ等によっても異なってくる。
即ち、印刷媒体の媒体品種によって転写に必要な転写電流、又は転写電圧の設定値を変更することが必要になってくる。
【００１７】
再度図２に戻って、印刷媒体２０が定着器ユニット１４へ送られる。この状態では、各色のトナー像は未だ印刷媒体２０の上に載っているだけの状態である。加熱された定着ローラ１４Ａ及び１４Ｂの間を通過させることによってトナー像は印刷媒体に定着される。定着ローラ１４Ａ及び１４Ｂの加熱温度は温度センサ１４Ｃ及び１４Ｄによって測定され、正確に制御されなければならない。
【００１８】
図４は、定着温度と媒体厚さとの関係図である。
図に於いて、横軸は、印刷媒体の厚さであり、縦軸はその印刷媒体へのトナー像の定着に必要な定着ローラの温度を表している。
図に示すように、印刷媒体が厚くなる程、定着に必要な定着ローラの温度は高くなることが分かる。即ち、上記トナー像の転写と同様に印刷媒体の媒体品種によって定着に必要な定着ローラの温度設定値を変更することが必要になってくる。
【００１９】
再度図２に戻って、印刷媒体２０は、定着器ユニット１４から出力されると（機構センサ１９Ｃで検出）排出ローラ１７Ａ及び１７Ｂによって排出カセット１８へ収納されて印刷処理を終了する。
以上で本実施例が適用される印刷装置の機構部分の概略構成及びその動作についての説明を終了し、図１に戻って実施例１の印刷装置の構成について説明する。
【００２０】
媒体データ保管部１は、印刷装置１０に装填されている印刷媒体の媒体品種を表す媒体情報と、媒体品種の異なる印刷媒体にそれぞれ対応する印刷条件設定値を予め格納するメモリである。一例として上記図３、図４を用いて説明したように、印刷媒体の媒体品種が異なれば、印刷条件が異なってくるからである。この印刷媒体の媒体品種は、例えば、媒体サイズ、媒体の材質、媒体の製造メーカ等によって定まる。更に、媒体データ保管部１には、媒体品種が格納されている媒体カセット１１の装填位置も格納されている。
【００２１】
通信制御部２は、上位装置であるホストＰＣ（パーソナルコンピュータ）５との間で印刷データやコマンドのやり取りを行う部分であり、その内部には、媒体情報抽出部４を内蔵している。
媒体情報抽出部４は、ホストＰＣ５が指定する媒体品種の印刷媒体に対応する印刷条件設定値を上記媒体データ保管部１から読み出す部分である。
【００２２】
印刷制御部３は、ホストＰＣ５が指定する媒体品種の印刷媒体を選択し、媒体情報抽出部４が読み出した印刷条件設定値に基づいて印刷条件を設定し、印刷処理を実行する部分、即ち、上記図２を用いて説明した機構部を制御する部分である。
以上で、構成についての説明を終了し、次に、動作についての説明をする。
【００２３】
図５は、実施例１の動作のフローチャートである。
図に示すステップＳ１−１〜ステップＳ１−６までステップ順に説明する。
動作説明の前提条件を以下のように定める。
前提条件（１）
印刷装置１０（図１）には、複数個の媒体カセットが装填されており、各カセット毎に媒体品種の異なる印刷媒体が収納されている。
前提条件（２）
印刷装置１０（図１）に収納されている媒体品種の異なる印刷媒体に対応する印刷条件設定値は、既に、媒体データ保管部１（図１）に格納されている。
【００２４】
ステップＳ１−１
操作者がホストＰＣ５（図１）を用いて印刷装置１０（図１）に対して印刷データとコマンドを送信し、通信制御部２（図１）が、印刷データとコマンドを受信する。このコマンドには、印刷処理に用いるべき印刷媒体の媒体品種が指定されている。この情報を以後媒体指定情報と記す。
【００２５】
ステップＳ１−２
通信制御部２（図１）に内蔵されている媒体情報抽出部４（図１）は、上記媒体指定情報によって指定されている媒体品種の印刷媒体が、印刷装置１０（図１）に装填されている複数個の媒体カセットの何れかに収納されている印刷媒体の媒体品種と一致するか否かを判断し、もし一致すればステップＳ１−３へ進み、一致しなければステップＳ１−６へ進む。
【００２６】
ステップＳ１−３
媒体情報抽出部４（図１）は、上記媒体指定情報によって指定されている媒体品種の印刷条件設定値を媒体データ保管部１（図１）から読み出す。通信制御部２（図１）が、上記媒体指定情報と共に、この印刷条件設定値を印刷制御部３（図１）へ送信する。  ステップＳ１−４
印刷制御部３（図１）は、媒体指定情報と印刷条件設定値を受け入れると、受け入れた印刷条件設定値に基づいて印刷条件を設定し、媒体指定情報（この中にはカセットの装填位置が含まれている）に基づいて所定の媒体カセットを選択する。
【００２７】
ステップＳ１−５
印刷制御部３（図１）は、選択された媒体カセットに収納されている印刷媒体を用いて印刷処理を実行する。
ステップＳ１−６
通信制御部２（図１）は、上記媒体指定情報と一致する媒体品種の印刷媒体が装填されていない旨、ホストＰＣ５へ通知し、媒体指定情報の再設定、再送信を操作者に求める。
【００２８】
以上説明したように印刷装置に装填されている印刷媒体の媒体品種に対応する印刷条件設定値を予め格納する媒体データ保管部と、上位装置が指定する媒体品種に対応する印刷条件設定値を前記媒体データ保管部から読み出す媒体情報抽出部と、上記上位装置が指定する媒体品種を印刷装置に装填されている印刷媒体の中から選択し、媒体情報抽出部が読み出した印刷条件設定値に基づいて印刷条件を設定し、印刷処理を実行する印刷制御部とを含むことによって、印刷に先立って、印刷条件設定値を入力しなければならないという煩雑さが無くなり、且つ、印刷条件設定値の誤入力等による画像品質の劣化を防止することができるという効果を得る。
【００２９】
尚、上記説明では、媒体データ保管部１は、印刷装置１０の内部に配置されているものとして説明したが、本発明は、この例に限定されるものでは無い。即ち媒体データ保管部１は、印刷装置１０の外部に配置されていても良い。
【実施例２】
【００３０】
図６は、実施例２の印刷装置の構成のブロック図である。
図に示すように、実施例２の印刷装置３０は、媒体データ保管部２１と、通信制御部２２と、媒体幅検出部２３と、媒体情報抽出部２４と、媒体カセット２５と、印刷制御部３とを含む。
以下に、実施例１との相違点に着目して説明する。
【００３１】
媒体データ保管部２１は、印刷装置に装填されることが予想される印刷媒体の媒体サイズの種類（例えばＡ４タテ、Ｂ５タテ等）を表す媒体情報と、個々の媒体サイズに対応する印刷条件設定値を予め格納するメモリである。実施例１に於ける媒体データ保管部１（図１）との相違点は、媒体データ保管部１（図１）では、媒体の媒体品種が異なれば、印刷条件が異なってくるとして、この媒体の媒体品種を特に限定していないが、本実施例に於ける媒体データ保管部２１では、媒体品種を媒体サイズのみに限定している点にある。
【００３２】
通信制御部２２は、上位装置であるホストＰＣ（パーソナルコンピュータ）５との間で印刷データやコマンドのやり取りを行う部分である。実施例１に於ける通信制御部２（図１）との相違点は、通信制御部２（図１）では、その内部には、媒体情報抽出部４（図１）を内蔵しているが、通信制御部２２は、媒体情報抽出部２４を内蔵していない点にある。
【００３３】
媒体幅検出部２３は、媒体カセット２５にセットされた印刷媒体の媒体幅を検出する媒体幅センサである。この媒体幅検出部２３は、所定の間隔に並べて配置される複数個のコンタクトスイッチからなり、印刷媒体を整然と揃えるための媒体ガイドがコンタクトスイッチに接触するとスイッチオンして印刷媒体の媒体幅を検出する構造のものが一例として配置される。
【００３４】
媒体情報抽出部２４は、媒体幅検出部２３が検出する印刷媒体の媒体幅を用いて、媒体データ保管部２１に格納されている媒体情報から定型サイズ（Ａ４・・・Ａ３等）を特定する。更に、この媒体サイズに対応する印刷条件設定値を上記媒体データ保管部２１から読み出す部分である。実施例１に於ける媒体情報抽出部４（図１）との相違点は、媒体情報抽出部４（図１）が、ホストＰＣ５（図１）が指定する印刷媒体に対応する印刷条件設定値を上記媒体データ保管部１（図１）から読み出すのに対して、媒体情報抽出部２４は、媒体幅検出部２３が検出した媒体幅に基づいて該当する媒体サイズを特定し、この媒体サイズに対応する印刷条件設定値を上記媒体データ保管部２１から読み出す点である。
【００３５】
媒体カセット２５は、印刷媒体を収納するカセットである。この媒体カセット２５の詳細について説明する。
図７は、媒体カセットの構造図である。
図に示すように、媒体カセット２５は、印刷媒体２０をカセット本体２５−１中に整然と揃えるための媒体ガイド２５−２を有する。媒体ガイド２５−２は、カセット本体２５−１上で、図中の矢印の方向に移動可能に構成され、印刷媒体２０の媒体幅を特定する機能を有している。
【００３６】
更に、媒体カセット２５の図中の底辺には、上記媒体幅検出部２３が配置されている。媒体幅検出部２３は、所定の間隔に並べて配置される複数個のコンタクトスイッチからなるスイッチ群２３−１を有している。このスイッチ群に媒体ガイド２５−２が接触すると、接触したスイッチがスイッチオンして媒体の媒体幅を特定する構造が採用されている（一例）。
【００３７】
再度図６に戻って、印刷制御部３は、媒体情報抽出部２４が読み出した印刷条件設定値に基づいて印刷条件を設定し、媒体幅検出部２３が特定する印刷媒体に、印刷処理を実行する部分、即ち、上記図２を用いて説明した機構部を制御する部分である。この構成は実施例１と全く同様である。
以上で、構成についての説明を終了し、次に、動作についての説明をする。
【００３８】
図８は、実施例２の動作のフローチャートである。
図に示すステップＳ２−１〜ステップＳ２−７までステップ順に説明する。
動作説明の前提条件を以下のように定める。
前提条件（１）
印刷媒体の媒体サイズを定型サイズ（Ａ１・・・Ａ５等）で特定し、同一サイズの印刷媒体は１品種のみ用いられるものとする。
前提条件（２）
印刷装置３０（図６）の媒体データ保管部２１（図６）には、所定媒体サイズに該当する印刷条件設定値が、既に格納されているものとする。
【００３９】
ステップＳ２−１
操作者が、媒体カセット２５（図７）に所定の媒体サイズの印刷媒体２０（図７）を整然と揃えて収納する。
ステップＳ２−２
操作者が、この媒体カセット２５（図７）を印刷装置３０（図６）に装填すると、媒体幅検出部２３（図６）は、印刷媒体２０の媒体幅を検出する。
【００４０】
ステップＳ２−３
媒体幅検出部２３（図６）は、印刷媒体２０の媒体幅を媒体情報抽出部２４（図６）へ送信する。
ステップＳ２−４
媒体情報抽出部２４（図６）は、媒体データ保管部２１に格納されている媒体情報を読み出す。この媒体情報には、媒体幅（mm）と定型サイズ（Ａ３・・・Ａ４等）との関係が含まれている。
ステップＳ２−５
媒体情報抽出部２４（図６）は、媒体幅から媒体サイズを特定し、この媒体サイズの印刷媒体に該当する印刷条件設定値を媒体データ保管部２１（図６）から読み出して印刷制御部３（図６）へ送信する。
【００４１】
ステップＳ２−６
印刷制御部３（図６）は、受信した印刷条件設定値に基づいて印刷条件を設定する。
ステップＳ２−７
印刷制御部３（図６）は、媒体カセット２５（図６）に整然と揃えて収納された印刷媒体２０を用いて印刷処理を実行する。
【００４２】
次に、上記フローチャートを用いて説明した実施例２の動作に於けるデータの流れについて説明する。
図９は、実施例２の動作に於けるデータの流れ説明図である。
【００４３】
動作が開始される前は、各種媒体サイズに該当する印刷条件設定値が、所定分類リスト（上記媒体情報に該当する）として媒体データ保管部２１に格納されている。
（ａ）に示すように印刷媒体の媒体幅を定型サイズ（Ａ１・・・Ａ５等）で特定し、同一サイズの印刷媒体は１品種のみ用いられている。この印刷媒体に該当する各種の印刷条件設定値は、図示していない欄外に格納されている。
【００４４】
ステップＳ２−２で、媒体幅検出部２３（図６）が検出した印刷媒体２０の媒体幅は、ステップＳ２−３で媒体情報抽出部２４へ送られる。
同様にして、所定分類リストもステップＳ２−４で媒体情報抽出部２４へ送られる。
【００４５】
媒体情報抽出部２４（図６）は、印刷媒体２０の媒体幅に基づいて所定分類リストから定型サイズ（Ａ１・・・Ａ５等）を特定する。
ステップＳ２−５で、（ｂ）に示すように例えば、定型サイズＡ４タテ、厚さ０．１０mm、紙色白の普通紙、メーカＡ社と特定され、この印刷媒体に該当する各種の印刷条件設定値（図示していない）が、媒体情報抽出部２４から印刷制御部３に向けて出力される。
【００４６】
以上説明したように、印刷装置に装填されることが予想される印刷媒体の媒体サイズに対応する印刷条件設定値を予め格納する媒体データ保管部と、媒体カセットに収納された印刷媒体の媒体幅を検出する媒体幅検出部と、該媒体幅検出部が検出した印刷媒体の媒体サイズに対応する印刷条件設定値を媒体データ保管部から読み出す媒体情報抽出部と、該媒体情報抽出部が読み出した印刷条件設定値に基づいて印刷条件を設定し、前記媒体供給部に収納された印刷媒体に印刷処理を実行する印刷制御部を含むことによって、操作者は、所定の印刷媒体をカセットに収納して印刷装置に装填するのみで、印刷に先立って、印刷条件設定値を入力しなければならないという煩雑さが無くなり、且つ、印刷条件設定値の誤入力等による画像品質の劣化を防止することができるという効果を得る。
【実施例３】
【００４７】
図１０は、実施例３の印刷装置の構成のブロック図である。
図に示すように、実施例３の印刷装置４０は、媒体データ保管部３１と、通信制御部２２と、媒体幅検出部２３と、媒体情報抽出部２４と、媒体カセット２５と、印刷制御部３と、表示部３２と、操作部３３とを含む。
以下に、実施例２との相違点に着目して説明する。
【００４８】
媒体データ保管部３１は、印刷装置に装填されることが予想される印刷媒体の媒体品種（媒体情報）と、その各々の媒体品種にそれぞれ対応する印刷条件設定値を予め格納するメモリである。実施例２に於ける媒体データ保管部２１（図６）との相違点は、媒体データ保管部２１（図６）では、媒体品種を媒体サイズのみに限定しているが、本実施例では同一の媒体サイズであっても、媒体の厚さ等、他の条件によって媒体品種が異なる場合があることを想定し、その異なる媒体品種毎に対応する印刷条件設定値が格納されている点にある。
【００４９】
表示部３２は、媒体幅検出部２３が検出した媒体サイズと同一の媒体サイズであって、異なる媒体品種を表す媒体情報を表示して操作者に通知する部分であり印刷装置４０に備えるディスプレイ等が、この役割を受け持つことになる。尚、この表示部３２に代えて、音声等で操作者に通知する報知部（図示していない）を用いても良い。
操作部３３は、表示部３２に表示された媒体情報の中から所望の媒体品種の選択を操作者に求める部分であり、印刷装置４０に備えるキーボードやマウス等がこの役割を受け持つことになる。
通信制御部２２と、媒体幅検出部２３と、媒体情報抽出部２４と、媒体カセット２５と、印刷制御部３とは、実施例２と全く同様なので説明を省略する。
【００５０】
次に、実施例３の動作について説明する。
図１１は、実施例３の動作のフローチャートである。
図に示すステップＳ３−１〜ステップＳ３−９までステップ順に説明する。
動作説明の前提条件を以下のように定める。
前提条件（１）
印刷装置４０（図１０）の媒体データ保管部３１（図１０）には、媒体サイズは同一であるが媒体品種の異なる印刷媒体の媒体情報と、該媒体情報のそれぞれに該当する印刷条件設定値が、既に格納されているものとする。
【００５１】
ステップＳ３−１
操作者が、媒体カセット２５（図１０）に所定の媒体サイズの印刷媒体２０（図１０）を整然と揃えて収納する。
ステップＳ３−２
操作者が、この媒体カセット２５（図１０）を印刷装置４０（図１０）に装填すると、媒体幅検出部２３（図１０）は、印刷媒体２０の媒体幅を検出する。
【００５２】
ステップＳ３−３
媒体幅検出部２３（図１０）は、印刷媒体２０の媒体幅を媒体情報抽出部２４（図１０）へ送信する。
ステップＳ３−４
媒体情報抽出部２４（図１０）は、媒体データ保管部３１（図１０）に格納されている媒体情報を読み出す。この媒体情報には、媒体幅（mm）と定型サイズ（Ａ３・・・Ａ４等）との関係が含まれている。
ステップＳ３−５
媒体情報抽出部２４（図１０）は、媒体幅から媒体サイズを特定し、この媒体サイズと同一の媒体サイズを有し媒体品種の異なる印刷媒体の媒体情報を表示部３２へ送信して表示させる。
【００５３】
ステップＳ３−６
操作者は、表示部３２を観察し、自己が求めている媒体品種の印刷媒体を選択すると、この選択情報は、媒体情報抽出部２４（図１０）へ送信される。
【００５４】
ステップＳ３−７
媒体情報抽出部２４（図１０）は、受信した選択情報に基づいて、この媒体品種の印刷媒体に該当する印刷条件設定値を媒体データ保管部３１（図１０）から読み出して印刷制御部３（図１０）へ送信する
ステップＳ３−８
印刷制御部３（図１０）は、受信した印刷条件設定値に基づいて印刷条件を設定する。
ステップＳ３−９
印刷制御部３（図１０）は、媒体カセット２５（図１０）に整然と揃えて収納された印刷媒体２０を用いて印刷処理を実行する。
【００５５】
次に、上記フローチャートを用いて説明した実施例３の動作に於けるデータの流れについて説明する。
図１２は、実施例３の動作に於けるデータの流れ説明図である。
【００５６】
動作が開始される前は、各種媒体サイズに該当する印刷条件設定値が、所定分類リスト（上記媒体情報に該当する）として媒体データ保管部３１に格納されている。
（ａ）に示すように印刷媒体の媒体幅を定型サイズ（Ａ１・・・Ａ５等）で特定し、同一サイズの印刷媒体が複数品種用いられている。各媒体品種に該当する各種の印刷条件設定値は、図示していない欄外に格納されている。
【００５７】
ステップＳ３−２で、媒体幅検出部２３（図１０）が検出した印刷媒体２０の媒体幅は、ステップＳ３−３で媒体情報抽出部２４へ送られる。
同様にして、所定分類リストもステップＳ３−４で媒体情報抽出部２４へ送られる。
【００５８】
媒体情報抽出部２４（図１０）は、印刷媒体２０の媒体幅に基づいて所定分類リストから定型サイズ（Ａ１・・・Ａ５等）を特定する。
ステップＳ３−５で媒体情報抽出部２４（図１０）は、媒体幅から媒体サイズを特定し、この媒体サイズと同一の媒体サイズを有し、媒体品種の異なる印刷媒体の媒体情報を表示部３２へ送信して表示させる。ここでは一例として媒体サイズがＡ４の印刷媒体が抽出されている。
【００５９】
ステップＳ３−６で、操作者が、表示部３２を観察し、自己が求めている媒体品種の印刷媒体を選択すると、この選択情報は、媒体情報抽出部２４（図１０）へ送信される。この選択情報に基づいて媒体情報抽出部２４（図１０）は、この媒体品種に該当する印刷条件設定値を媒体データ保管部３１（図１０）から読み出して印刷制御部３（図１０）へ送信する（ステップＳ３−７）。（ｃ）に示すように例えば、定型サイズＡ４タテ、厚さ０．１０mm、紙色白の普通紙、メーカＡ社と特定され、この印刷媒体に該当する各種の印刷条件設定値（図示していない）が、媒体情報抽出部２４から印刷制御部３に向けて出力される。
【００６０】
図１３は、所定分類リストの他の例説明図である。
上記説明では、媒体サイズを図１２の（ａ）（所定分類リスト）に示すように、定型サイズ（Ａ１・・・Ａ５等）に限定して説明したが、本実施例は、この例に限定されるものではない。即ち、媒体サイズを図１３に示すように媒体幅寸法そのもので特定することも可能である。
【００６１】
以上説明したように、媒体データ保管部は、実施例２の情報に加えて同一サイズで異なる媒体品種の印刷媒体にそれぞれ対応する印刷条件設定値を更に格納し、媒体幅検出部が検出した媒体サイズと同一の媒体サイズであって、異なる媒体品種を表す媒体情報を表示する表示部と、該表示部に表示された媒体情報の中から所望の媒体品種の選択を求める操作部とを更に備え、媒体情報抽出部は、操作部によって選択された媒体品種に対応する印刷条件設定値を媒体データ保管部から読み出すことによって、実施例２の効果を同一サイズの印刷媒体に印刷する場合のみならず同一の媒体サイズであって、異なる媒体品種の印刷媒体に印刷する場合まで広げることが可能になるという効果を得る。
【産業上の利用可能性】
【００６２】
以上の説明では、本発明を印刷装置に適合させた場合に限定して説明したが、本発明は、この例に限定されるものでは無い。即ち、本発明は、ファクシミリ装置等にも適合可能である。
【図面の簡単な説明】
【００６３】
【図１】実施例１の印刷装置の構成のブロック図である。
【図２】印刷装置の機構概略説明図である。
【図３】転写電流又は転写電圧と媒体厚さとの関係図である。
【図４】定着温度と媒体厚さとの関係図である。
【図５】実施例１の動作のフローチャートである。
【図６】実施例２の印刷装置の構成のブロック図である。
【図７】媒体カセットの構成図である。
【図８】実施例２の動作のフローチャートである。
【図９】実施例２の動作に於けるデータの流れ説明図である。
【図１０】実施例３の印刷装置の構成のブロック図である。
【図１１】実施例３の動作のフローチャートである。
【図１２】実施例３の動作に於けるデータの流れ説明図である。
【図１３】所定分類リストの他の例説明図である。
【符号の説明】
【００６４】
１  媒体データ保管部
２  通信制御部
３  印刷制御部
４  媒体情報抽出部
５  ホストＰＣ
【図１】
2005081705.tif 000003
【図２】
2005081705.tif 000004
【図３】
2005081705.tif 000005
【図４】
2005081705.tif 000006
【図５】
2005081705.tif 000007
【図６】
2005081705.tif 000008
【図７】
2005081705.tif 000009
【図８】
2005081705.tif 000010
【図９】
2005081705.tif 000011
【図１０】
2005081705.tif 000012
【図１１】
2005081705.tif 000013
【図１２】
2005081705.tif 000014
【図１３】
2005081705.tif 000015